(57)【特許請求の範囲】
【請求項１】
人工地盤上に載置されるパネルと、前記パネル上に載置される緑化植物育成用の給水マットと、前記給水マットに給水するための灌水パイプとを備えた、省エネ緑化システムであって、
前記パネルは、一方の外周縁の近傍に形成され、前記給水マットを載置するときの位置合わせ及び灌水パイプの載置のための中空凸部と、他方の外周縁の近傍に形成され、並置された隣接するパネルの前記中空凸部の中空部内に嵌合されるための嵌合凸部とを備え、
並置されたパネルの重なり合う領域が、前記中空凸部及び嵌合凸部の周辺に形成され、
並置されたパネルの前記中空凸部の内側に給水マットが載置されるとともに、前記並置された給水マットの周縁の間であって、パネルの中空凸部の上面に灌水パイプが敷設される、
省エネ緑化システム。
【請求項２】
前記パネルは、平面視略方形状であり、対角線上の互いに向きあった隅部が切り欠かれた切り欠き隅部を備え、並列されたパネルの隅部が前記切り欠かれた切り欠き隅部に位置するように形成され、
切り欠き隅部においては、他のパネルの隅部が載置されるように形成された、
請求項１に記載の省エネ緑化システム。
【請求項３】
前記パネルは、平面視略方形状の合成樹脂薄板からなり、前記中空凸部及び嵌合凸部が形成されていない領域に強化のための強化凸条が形成された、
請求項１又は２に記載の省エネ緑化システム。
【発明の詳細な説明】
【技術分野】
【０００１】
この発明は、ビルの屋上やベランダ等の人工地盤上に設けられ、省エネ緑化をするための省エネ緑化システムに関する。
【背景技術】
【０００２】
マンション，病院，学校等の建築物の屋上やベランダ，テラス等の人工地盤の表面を緑化する際に用いられる緑化パネル及び緑化パネル装置並びに緑化方法が、提案されている。
また、全額経費としてリース料を損金に算入することができ、税務上有利となるリース取引の対象となる省エネ緑化システムが望まれている。
【０００３】
【特許文献１】特開２００８―０６７６５７号公報
【発明の開示】
【発明が解決しようとする課題】
【０００４】
しかしながら、この緑化パネルの場合、複雑な構造を備え、敷設するときに多くの手間を必要とするものであった。
それゆえに、この発明の主たる目的は、屋上やベランダ等の人工地盤上に載置して、省エネ緑化をし易く、且つ、敷設工事においても、パネルを並置することにより耐根保水シート面を形成でき、且つ、省エネ緑化システムを完成させることができ、短期間に敷設工事を終了できる省エネ緑化システムを提供することである。
【課題を解決するための手段】
【０００５】
この発明にかかる省エネ緑化システムは、人工地盤上に載置されるパネルと、前記パネル上に載置される緑化植物育成用の給水マットと、前記給水マットに給水するための灌水パイプとを備えた、省エネ緑化システムであって、前記パネルは、一方の外周縁の近傍に形成され、前記給水マットを載置するときの位置合わせ及び灌水パイプの載置のための中空凸部と、他方の外周縁の近傍に形成され、並置された隣接するパネルの前記中空凸部の中空部内に嵌合されるための嵌合凸部とを備え、並置されたパネルの重なり合う領域が、前記中空凸部及び嵌合凸部の周辺に形成され、並置されたパネルの前記中空凸部の内側に給水マットが載置されるとともに、前記並置された給水マットの周縁の間であって、パネルの中空凸部の上面に灌水パイプが敷設される、省エネ緑化システムである。
この発明の請求項２にかかる省エネ緑化システムは、前記パネルは、平面視略方形状であり、対角線上の互いに向きあった隅部が切り欠かれた切り欠き隅部を備え、並列されたパネルの隅部が前記切り欠かれた切り欠き隅部に位置するように形成され、切り欠き隅部においては、他のパネルの隅部が載置されるように形成された、請求項１に記載の省エネ緑化システムである。
この発明の請求項３にかかる省エネ緑化システムは、前記パネルは、平面視略方形状の合成樹脂薄板からなり、前記中空凸部及び嵌合凸部が形成されていない領域に強化のための強化凸条が形成された、請求項１又は２に記載の省エネ緑化システムである。
【発明の効果】
【０００６】
本件発明は、人工地盤上に載置されるパネルと、前記パネル上に載置される緑化植物育成用の給水マットと、前記給水マットに給水するための灌水パイプとを備えた、省エネ緑化システムであって、前記パネルは、一方の外周縁の近傍に形成され、前記給水マットを載置するときの位置合わせ及び灌水パイプの載置のための中空凸部と、他方の外周縁の近傍に形成され、並置された隣接するパネルの前記中空凸部の中空部内に嵌合されるための嵌合凸部とを備え、並置されたパネルの重なり合う領域が、前記中空凸部及び嵌合凸部の周辺に形成され、並置されたパネルの前記中空凸部の内側に給水マットが載置されるとともに、前記並置された給水マットの周縁の間であって、パネルの中空凸部の上面に灌水パイプが敷設されるので、比較的平面状の屋上やベランダ等の人工地盤上に載置して、省エネ緑化をし易く、且つ、敷設工事においても、パネルを並置し隣接するパネルどおしを嵌合接続することにより耐根保水シート面を形成でき、且つ、その上に緑化のための植物を植栽するための給水マットを載置し、それらの間に灌水パイプを張り巡らせるだけで、省エネ緑化システムを完成させることができ、短期間に敷設工事を終了できる。
これにより、ヒートアイランド現象の緩和及び光熱費のコストダウンを図れるとともに、膨張、収縮による建物の劣化を防ぎ、建物の長寿命化を図ることができる。
しかも、人工地盤上に載置される構造のために、リース取引の対象となり、税法上有利な取り扱いを受けることができ、より一層省エネ緑化システムの普及に資するものとなる。
【０００７】
この発明の上述の目的、その他の目的、特徴及び利点は、図を参照して行う以下の発明を実施するための最良の形態の説明からいっそう明らかとなろう。
【発明を実施するための最良の形態】
【０００８】
図１は、この発明の一実施の形態である、屋上省エネ緑化システムを設置した状態を示す断面図解図であり、図２は、屋上省エネ緑化システムを構成するパネルの平面図解図であり、図３は、図２図示パネルの正面図解図であり、図４は、図２図示パネルの側面図解図である。
屋上省エネ緑化システム１０は、マンション，病院，学校等の建築物の屋上やベランダ，テラス等の人工地盤上に載置されるパネル１２と、前記パネル１２上に載置される緑化植物育成用の給水マット１４と、前記給水マットに給水するための灌水パイプ１６とを備えている。
【０００９】
前記パネル１２は、人工地盤上に耐根保水シート面を形成できるように構成され、一方の外周縁１８，２０の近傍に形成され、前記給水マット１４を載置するときの位置を合わせるための及び灌水パイプ１６を載置するための中空凸部２２，２４と、他方の外周縁２６，２８の近傍に形成され、並置された隣接するパネルの前記中空凸部２２，２４の中空部２２ａ，２４ａ内に嵌合されるための嵌合凸部３０，３２とを備える。
【００１０】
前記パネル１２は、平面視略方形状の合成樹脂薄板からなり、対角線上の互いに向きあった隅部が切り欠かれた切り欠き隅部３４，３６を備え、並列されたパネルの隅部３８，４０が前記切り欠かれた切り欠き隅部３４，３６に位置するように形成され、切り欠き隅部３４においては、他のパネルの隅部３８が載置されるように形成されている。
【００１１】
この実施の形態においては、手前側の外周縁１８と左側の外周縁２０の近傍に、中空凸部２２，２４を構成する断面半円形状の中空凸条が、適宜な間隔をおいて左右に分かれてそれぞれ２条ずつ形成されている。
そして、一方の中空凸部２２は、手前側の外周縁１８と平行に形成され、もう一方の中空凸部２４は、左側の外周縁２０と平行に形成されている。
中空凸部２２及び２４の内面には、補強と嵌合凸部３０及び３２との嵌合を密にするための筋２２ａ及び筋２４ａが、突設されている。
【００１２】
また、この実施の形態においては、向こう側の外周縁２６と右側の外周縁２８の近傍に、嵌合凸部３０，３２を構成する断面半円形状の中空凸条が、適宜な間隔をおいて左右に分かれてそれぞれ２条ずつ形成されている。
【００１３】
そして、この実施の形態においては、平面視略方形のパネル１２の辺を構成する手前側の外周縁１８と右側の外周縁２８とが交わる頂点である、右手前側の隅部において、切り欠き隅部３４を形成している。
切り欠き隅部３４は、手前側の外周縁１８と直交する切り欠き隅辺３４ａと、右側の外周縁２８と直交する切り欠き隅辺３４ｂとを備える。
また、この実施の形態においては、平面視略方形のパネル１２の辺を構成する左側の外周縁２０と向こう側の外周縁２６とが交わる頂点である、左向こう側の隅部において切り欠き隅部３６を形成している。
切り欠き隅部３６は、向こう側の外周縁２６と直交する切り欠き隅辺３６ａと、左側の外周縁２０と直交する切り欠き隅辺３６ｂとを備える。
【００１４】
そして、この実施の形態においては、平面視略方形のパネル１２の辺を構成する手前側の外周縁１８と左側の外周縁２０とが交わる頂点である、左手前側の隅部３８においては、手前側の外周縁１８と左側の外周縁２０とが直交する隅部３８を形成している。
また、この実施の形態においては、平面視略方形のパネル１２の辺を構成する向こう側の外周縁２６と右側の外周縁２８とが交わる頂点である、右向こう側の隅部４０においては、向こう側の外周縁２６と右側の外周縁２８とが直交する隅部４０を形成している。
すなわち、パネル１２は、左手前側の隅部３８と、それとは対角線上の互いに向きあった右向こう側の隅部４０とを備え、それらの隅部３８，４０は、切り欠かれていない。
【００１５】
このパネル１２は、手前側の外周縁１８の内側に他のパネル１２と重ね合わせるための重ね合わせ領域５０を形成され、左側の外周縁２０の内側に他のパネル１２と重ね合わせるための重ね合わせ領域５２を形成され、向こう側の外周縁２６の内側に他のパネル１２と重ね合わせるための重ね合わせ領域５４を形成され、右側の外周縁２８の内側に他のパネル１２と重ね合わせるための重ね合わせ領域５６を形成されている。
重ね合わせ領域５０は、切り欠き隅辺３４ａと同一の幅を備え、重ね合わせ領域５２は、切り欠き隅辺３６ｂと同一の幅を備え、重ね合わせ領域５４は、切り欠き隅辺３６ａと同一の幅を備え、重ね合わせ領域５６は、切り欠き隅辺３４ｂと同一の幅を備えている。
この実施の形態においては、切り欠き隅辺３４ａは、中空凸部２２の右端とは間隔をおいて形成され、手前側の外周縁１８と中空凸部２２との間の幅の略々倍の幅を備え、切り欠き隅辺３６ｂは、中空凸部２４の向こう側とは間隔をおいて形成され、左側の外周縁２０と中空凸部２４との間の幅の略々倍の幅を備え、切り欠き隅辺３６ａは、嵌合凸部３０の左側端とは間隔をおいて形成され、向こう側の外周縁２６と嵌合凸部３０との間の幅の略々倍の幅を備え、切り欠き隅辺３４ｂは、嵌合凸部３２の手前側とは間隔をおいて形成され、右側の外周縁２８と嵌合凸部３２との間の幅の略々倍の幅を備えている。
【００１６】
前記パネル１２は、前記中空凸部２２，２４及び嵌合凸部３０，３２が形成されていない領域に、強化のための強化凸条６０，６２が形成されている。
強化凸条６０及び強化凸条６２は、嵌合凸部３０及び３２と同じような幅を備え、嵌合凸部３０及び３２と比べて低い高さを備えている。
強化凸条６０は、手前側の外周縁１８から手前側の外周縁１８の近傍に形成された一対の中空凸部２２の間を抜けて、パネル１２の中央辺りまで直線状にのびる第１凸条６０ａと、右側の外周縁２８から右側の外周縁２８の近傍に形成された一対の嵌合凸部３２の間を抜けて、パネル１２の中央辺りまで直線状にのびる第２凸条６０ｂと、パネル１２の中央辺りにおいて、第１凸条６０ａの内側端と第２凸条６０ｂの内側端とを連結する第３凸条６０ｃとを備える。
強化凸条６２は、左側の外周縁２０から左側の外周縁２０の近傍に形成された一対の中空凸部２４の間を抜けて、パネル１２の中央辺りまで直線状にのびる第１凸条６２ａと、向こう側の外周縁２６から向こう側の外周縁２６の近傍に形成された一対の嵌合凸部３０の間を抜けて、パネル１２の中央辺りまで直線状にのびる第２凸条６０ｂと、パネル１２の中央辺りにおいて、前記第１凸条６２ａの内側端と前記第２凸条６２ｂの内側端とを連結する第３凸条６２ｃとを備える。
【００１７】
パネル１２は、略正方形の頂点、すなわち、正方形の辺を構成する手前側の外周縁１８と左側の外周縁２０と向こう側の外周縁２６と右側の外周縁２８とが交わる頂点に対応する隅部（切り欠き隅部３４，切り欠き隅部３６，隅部３８，隅部４０）と略々一致し且つ重ね合わせ領域５０，５２，５４，５６を重ね合わせるようにして、人工地盤上に載置され、埋め尽くすようにして、人工地盤上に載置される。
そのとき、並列された第１パネル１２ａの重ね合わせ領域５２の下に隣接する第２パネル１２ｂの重ね合わせ領域５６を重ね合わせ、且つ第１パネル１２ａの中空凸部２４の中空部内に、第１パネル１２ａに隣接する第２パネル１２ｂの嵌合凸部３２が嵌合される。そして、また、並列された第１パネル１２ａの重ね合わせ領域５０の下に隣接する第３パネル１２ｃの重ね合わせ領域５４を重ね合わせ、且つ第１パネル１２ａの中空凸部２２の中空部内に、第１パネル１２ａに隣接する第３パネル１２ｃの嵌合凸部３０が嵌合される。
並列された第２パネル１２ｂと第３パネル１２ｃとによって形成された、空間領域に、第４パネル１２ｄが人工地盤上に載置され、埋め尽くすようにして、人工地盤上に載置される。
そのとき、並列された第２パネル１２ｂの重ね合わせ領域５０の下に隣接する第４パネル１２ｄの重ね合わせ領域５４を重ね合わせ、且つ第２パネル１２ｂの中空凸部２２の中空部内に第４パネル１２ｄの嵌合凸部３０を嵌合され、第３パネル１２ｃの重ね合わせ領域５２の下に隣接する第４パネル１２ｄの重ね合わせ領域５６を重ね合わせ、且つ第３パネル１２ｃの中空凸部２４の中空部内に第４パネル１２ｄの嵌合凸部３２を嵌合されている。
【００１８】
このように、正方形のパネル１２の辺を重ね合わせて、すなわち、右側の外周縁２８と及び手前側の外周縁１８と向こう側の外周縁２６とを重ね合わせ、頂点たる隅部３８と、切り欠き隅部３４と切り欠き隅部３６と隅部４０とが一致するように、正方形であるパネル１０で平面を埋め尽くしたように正方格子状に敷き詰めたとき、第１パネル１２ａと第４パネル１２ｄとは、隅部３８すなわち正方形の頂点を中心にして、第１パネル１２ａに対し、点対称の位置に第４パネル１２ｄが載置される。
【００１９】
なお、パネル１２の載置方法をわかり易くするために、中空凸部２２及び２４側に大の文字を表し、嵌合凸部３０及び３２側に小の文字を表し、中空凸部２２及び２４より嵌合凸部３０及び３２の方が小さくて、中空凸部２２及び２４の中空部内に嵌合凸部３０及び３２を嵌め込むことを示されている。
また、パネル１２は、パネル１２を載置する人工土壌の傾き等を考え、排水の流れを表す矢印と水を表すＷの文字とを表されている。
【００２０】
並置されたパネル１２の重ね合わせ領域５０，５２，５４，５６により空隙が、前記中空凸部２２，２４及び嵌合凸部３０，３２の周辺に形成され、並置されたパネル１２の前記中空凸部２２，２４の内側に給水マット１４が載置されるとともに、前記並置された給水マット１４の周縁の間であって、パネルの中空凸部２２，２４の上面に灌水パイプ１６が敷設される。
【００２１】
給水マット１４は、パネル１２の中空凸部２２の内側縁と中空凸部２４の内側縁と嵌合凸部３０の内側縁と嵌合凸部３２の内側縁とによって囲繞された方形の領域内に載置される大きさの平面視方形状である。
給水マット１４は、再生ウレタンフォーム中に、サーモゲルを分散させ、マット状に成形加工したものである。
給水マット１４は、クッション材などウレタンフォームの製造・加工工程より発生する廃材を再利用しているので環境にやさしく、マット状に加工されているため軽量で、敷設のとき作業性に優れている。
サーモゲルは、所定の温度（感温点）以下では水を吸水してゲル状にふくれ、感温点を越えると吸収していた水を排出する樹脂（ポリマー）のことであり、植物の育成に必要な水を最適な状態で管理する。このサーモゲルは、感温点以下の温度での給水倍率は１００〜１５０倍である。
また、給水マット１４は、ウール製布を刻んだものをマット状に圧縮してなるものでもよい。
【００２２】
給水マット１４の上面には、例えば高麗芝を、前記給水マット１４と同様の平面視方形のマット状にしたものを載置し、芝生等の緑化植物７０を屋上に敷き詰め、緑化できるようにする。
【００２３】
灌水パイプ１６は、圧力調節機能により先端と末端でムラなく吐出量を一定にできる点滴式灌水ホースであり、電気・ソーラー・電池などの制御タイマー及び該制御タイマーからの情報に基づき、灌水パイプ１６への給水量の調整をするコンピュータを組み合わせた灌水システムに接続される。
【００２４】
前記灌水システムのコンピュータは、例えばインターネット等の通信回線を介して別のコンピュータと接続され、該別のコンピュータは、リース契約を締結するリース契約手段を備えるように構成される。これにより、人工地盤上に載置される構造のために、リース取引の対象となり、税法上有利な取り扱いを受けることができ、より一層省エネ緑化システムの普及に資するものとなる。
【００２５】
この発明は、前記実施の形態に限らず、この発明の思想に基づき、種々変更が可能である。
例えば、図６及び８に示すように、給水マット１４は、例えば、花などの緑化植物を植える合成樹脂製ポット７２を嵌挿できる嵌装孔１４ａを、複数個穿設したものを用いてもよい。
そして、給水マット１４の上面に軽量土壌を載置するとともに、給水マット１４の嵌装孔１４ａに嵌挿されたポット７２の周囲に軽量土壌を敷き詰めてもよい。
前記合成樹脂製ポット７２は、通水性を有するように、通水孔が貫設されたものを用いられるが、この合成樹脂製ポット７２を用いずに、軽量土壌に直接花などの緑化植物を植えつけ、嵌装孔１４ａに詰めてもよい。
なお、軽量土壌は、湿性多孔質鉱物に有機物と植物の生育に必要な成分とを混合したもので、無数の孔隙が連通しており、植物に必要な有効水を多量且つ長期間保持できるように構成されている。
【図面の簡単な説明】
【００２６】
【図１】この発明の一実施の形態である、屋上省エネ緑化システムを設置した状態を示す斜視図解図である。
【図２】屋上省エネ緑化システムを構成するパネルの平面図解図である。
【図３】図２図示パネルのＡ―Ａ断面図解図である。
【図４】図２図示パネルのＢ―Ｂ断面図解図である。
【図５Ａ】図２図示パネルの配置の方法を示す斜視図解図である。
【図５Ｂ】図２図示パネルの配置の方法を示す斜視図解図である。
【図５Ｃ】図２図示パネルの配置の方法を示す斜視図解図である。
【図６】図２図示パネルの配置の方法を示す平面図解図である。
【図７】パネルの連結構造を示す断面図解図であり、（Ａ）は縦方向の断面図解図であり、（Ｂ）は横方向の断面図解図である。
【図８】この発明の一実施の形態である、屋上省エネ緑化システムを設置した状態を示す断面図解図である。
【図９】この発明の一実施の形態である、屋上省エネ緑化システムを設置した状態を示す断面図解図である。
【図１０】パネルを敷き詰めた状態を示す平面図解図である。
【符号の説明】
【００２７】
１０  省エネ緑化システム
１２  パネル
１２ａ  第１パネル
１２ｂ  第２パネル
１２ｃ  第３パネル
１２ｄ  第４パネル
１４  給水マット
１４ａ  嵌装孔
１６  灌水パイプ
１８  手前側の外周縁
２０  左側の外周縁
２２，２４  中空凸部
２２ａ，２４ａ  筋
２６  向こう側の外周縁
２８  右側の外周縁
３０，３２  嵌合凸部
３４，３６  切り欠き隅部
３４ａ，３４ｂ，３６ａ，３６ｂ  切り欠き隅辺
３８，４０  隅部
５０，５２，５４，５６  重ね合わせ領域
６０，６２  強化凸条
７０  緑化植物
７２  合成樹脂製ポット
【図１】
0005130470.tif 000002
【図２】
0005130470.tif 000003
【図３】
0005130470.tif 000004
【図４】
0005130470.tif 000005
【図５Ａ】
0005130470.tif 000006
【図５Ｂ】
0005130470.tif 000007
【図５Ｃ】
0005130470.tif 000008
【図６】
0005130470.tif 000009
【図７】
0005130470.tif 000010
【図８】
0005130470.tif 000011
【図９】
0005130470.tif 000012
【図１０】
0005130470.tif 000013